(57)【要約】【課題】構成部材の削減を図ると共に、天井パネルの取り付け，取り外しを容易にした天井パネルの取付構造を提供する。【解決手段】天井パネル２を支持する梁材１０と、梁材の側面に取り付けられるパネル固定具３とからなり、梁材に、側面に互いに対向して延設される第一の係止凹条１６と第二の係止凹条１７とを有する係止凹部１４を設けると共に、パネルを載置するフランジ部１５を設ける。パネル固定具は、係止凹部に着脱可能に係止される係止板３０と、係止板に設けられて係止板が係止凹部に係止した状態においてパネルの縁部２０を押圧する押圧片３３と、係止板を回動させるハンドル片３４とを有し、係止板に、その間隔が両係止凹条の底部間の距離とほぼ等しい係止辺３１と、その間隔が両係止凹条の係止突部１６ａ，１７ａ間の距離より小さい挿入辺３２とを有し、係止辺と挿入辺とがなす角部３０ａの少なくとも対向する２つを円弧状に形成する。【選択図】        図３
2008215021.tif 000002
【特許請求の範囲】
【請求項１】
建物等の天井位置に配置される天井パネルの取付構造であって、
上記天井位置に横架され、上記天井パネルを支持する梁材と、この梁材の側面に取り付けられるパネル固定具とからなり、
上記梁材は、側面に長手方向に沿って形成され下方向に開口する第一の係止凹条と、この第一の係止凹条の下方において第一の係止凹条の開口に対向して開口する第二の係止凹条とを有する係止凹部を設けると共に、上記係止凹部の下方に位置し、上記天井パネルを載置するフランジ部を設けてなり、
上記パネル固定具は、上記係止凹部に着脱可能に係止される係止板と、この係止板の一方の面に設けられ、係止板が係止凹部に係止した状態において、天井パネルの縁部を押圧する押圧片と、係止板の一方の面に設けられ、係止板を係止凹部内で回転動作させるハンドル片とを有し、
上記係止板は、互いに対向し、その間隔が上記第一及び第二の係止凹条の底部間の距離とほぼ等しい係止辺と、互いに対向し、その間隔が上記第一及び第二の係止凹条を構成する係止突部間の距離よりも小さい挿入辺とを有し、上記係止辺と上記挿入辺とがなす角部の少なくとも対向する２つを円弧状に形成してなる、ことを特徴とする天井パネルの取付構造。
【請求項２】
請求項１に記載の天井パネルの取付構造において、
上記係止板の他方の面に設けられ、係止板が係止凹部に係止された状態において、上記梁材の側面に圧接する複数の凸部を更に具備してなる、ことを特徴とする天井パネルの取付構造。
【請求項３】
請求項１または２に記載の天井パネルの取付構造において、
上記第一及び第二の係止凹条を構成する係止突部の内面は、先端に向かって外方に傾斜して形成され、
上記係止板は、上記係止辺の断面を上記係止突部の内面に当接可能な狭小テーパ状に形成される、ことを特徴とする天井パネルの取付構造。
【請求項４】
建物等の天井位置に配置される天井パネルの取付構造であって、
上記天井位置に横架され、上記天井パネルを支持する梁材と、この梁材の側面に取り付けられるパネル固定具とからなり、
上記梁材は、側面に長手方向に沿って形成され下方向に開口する第一の係止凹条と、この第一の係止凹条の下方において第一の係止凹条の開口に対向して開口する第二の係止凹条とを有する係止凹部を設けると共に、上記係止凹部の下方に位置し、上記天井パネルを載置するフランジ部を設けてなり、
上記パネル固定具は、上記係止凹部に着脱可能に係止される係止板と、この係止板の一方の面に設けられ、係止板が係止凹部に係止した状態において、天井パネルの縁部を押圧する押圧片と、係止板の一方の面に設けられ、係止板を係止凹部内で回転動作させるハンドル片とを有し、上記係止凹部は、上記第一の係止凹条を構成する係止突部の内面が先端に向かって外方に傾斜し、その係止突部の先端から底部までの深さを（Ａ）に形成すると共に、上記第二の係止凹条を構成する係止突部の内面が先端に向かって外方に傾斜し、その係止突部の先端から底部までの深さを（Ｂ）に形成し、かつ、各々の底部間距離を（Ｃ）に形成してなり、
上記係止板は、互いに対向し、その間隔が（Ｃ−Ａ）または（Ｃ−Ｂ）のいずれか大きい方よりも大きく、かつ、（Ｃ）よりも小さく、その断面が上記係止突部の内面に当接可能な狭小テーパ状に形成される係止辺と、互いに対向し、その間隔が｛Ｃ−（Ａ＋Ｂ）｝よりも小さい挿入辺とで形成し、上記係止辺と上記挿入辺とがなす角部の少なくとも対向する２つを円弧状に形成してなる、ことを特徴とする天井パネルの取付構造。
【請求項５】
請求項４記載の天井パネルの取付構造において、
上記係止板の他方の面に設けられ、係止板が係止凹部に係止された状態において、上記梁材の側面に圧接する複数の凸部を更に具備してなる、ことを特徴とする天井パネルの取付構造。
【発明の詳細な説明】
【技術分野】
【０００１】
この発明は、建物の天井位置に配置された梁材等の天井構造材に天井パネルを取り付ける天井パネルの取付構造に関するものである。
【背景技術】
【０００２】
一般に、クリーンルームを設置する建物内に天井を新たに設ける場合には、建物の天井部から梁材等の天井構造体を吊下等によって配置し、その構造体間に天井パネルを載置して取り付ける構造となっている。
【０００３】
従来、この種の天井パネルの取付構造として、梁材の下端縁部に天井パネルを載置可能な受け板を設けると共に、梁材の側面にレール部を設け、このレール部に取り付けられるパネル固定金具をねじ部材を介して天井パネルに固定することで、天井パネルを梁材に取り付ける構造が知られている（例えば、特許文献１参照）。
【０００４】
また、梁材の側面に円弧状の係止溝を設け、パネル支持片をこの係止溝に取り付けると共に、梁材の側面に係止することで、パネル支持片によって天井パネルを支持する構造が知られている（例えば、特許文献２参照）。
【特許文献１】特開２００１−２００６１０号公報（段落番号００２９，００４６、図２）
【特許文献２】特開２００４−３２５３号公報（特許請求の範囲、段落番号００４６〜００４９、図９、図１６）
【発明の開示】
【発明が解決しようとする課題】
【０００５】
しかしながら、前者すなわち特開２００１−２００６１０号公報に記載のものにおいては、パネル固定金具をねじ部材を介して天井パネルに取り付ける構造であるので、構成部材が増えると共に、取り付け及び取り外し作業に手間がかかるという問題があった。また、後者すなわち特開２００４−３２５３号公報に記載のものにおいては、梁材の側面に設けられた係止部にパネル支持片の鉤状部を係合させて固定する構造であるので、パネル支持片の取付位置を変更する場合や、天井パネルを取り外す場合に、梁材とパネル支持片との係合を解除するのが困難であるので、パネル支持片の取付位置の変更及び天井パネル取り外しに手間がかかるという問題があった。
【０００６】
この発明は、上記事情に鑑みてなされたのもので、構成部材の削減を図ると共に、梁材への天井パネルの取り付け及び取り外しを容易にしたパネルの取付構造を提供することを課題とする。
【課題を解決するための手段】
【０００７】
上記課題を解決するため、請求項１記載の発明は、建物等の天井位置に配置される天井パネルの取付構造であって、  上記天井位置に横架され、上記天井パネルを支持する梁材と、この梁材の側面に取り付けられるパネル固定具とからなり、  上記梁材は、側面に長手方向に沿って形成され下方向に開口する第一の係止凹条と、この第一の係止凹条の下方において第一の係止凹条の開口に対向して開口する第二の係止凹条とを有する係止凹部を設けると共に、上記係止凹部の下方に位置し、上記天井パネルを載置するフランジ部を設けてなり、  上記パネル固定具は、上記係止凹部に着脱可能に係止される係止板と、この係止板の一方の面に設けられ、係止板が係止凹部に係止した状態において、天井パネルの縁部を押圧する押圧片と、係止板の一方の面に設けられ、係止板を係止凹部内で回転動作させるハンドル片とを有し、  上記係止板は、互いに対向し、その間隔が上記第一及び第二の係止凹条の底部間の距離とほぼ等しい係止辺と、互いに対向し、その間隔が上記第一及び第二の係止凹条を構成する係止突部間の距離よりも小さい挿入辺とを有し、上記係止辺と上記挿入辺とがなす角部の少なくとも対向する２つを円弧状に形成してなる、ことを特徴とする。
【０００８】
このように構成することにより、天井パネルを梁材のフランジ部に載置した状態で、梁材の係止凹部にパネル固定具を係止すると共に、押圧片によって天井パネルの縁部を押圧して天井パネルを梁材に取り付けることができる。
【０００９】
また、この発明において、上記係止板の他方の面に設けられ、係止板が係止凹部に係止された状態において、上記梁材の側面に圧接する複数の凸部を具備してなる方が好ましい（請求項２）。
【００１０】
このように構成することにより、係止板を係止凹部に係止するのに伴って、係止板に設けられる複数の凸部を梁材の側面に圧接することができる。
【００１１】
また、この発明において、上記第一及び第二の係止凹条を構成する係止突部の内面は、先端に向かって外方に傾斜して形成され、  上記係止板は、上記係止辺の断面を上記係止突部の内面に当接可能な狭小テーパ状に形成される方が好ましい（請求項３）。
【００１２】
このように構成することにより、係止板を、係止板の係止辺を第一及び第二の係止凹条の内面に沿って係止凹部内に係止することができる。
【００１３】
また、請求項４に記載の発明は、建物等の天井位置に配置される天井パネルの取付構造であって、  上記天井位置に横架され、上記天井パネルを支持する梁材と、この梁材の側面に取り付けられるパネル固定具とからなり、  上記梁材は、側面に長手方向に沿って形成され下方向に開口する第一の係止凹条と、この第一の係止凹条の下方において第一の係止凹条の開口に対向して開口する第二の係止凹条とを有する係止凹部を設けると共に、上記係止凹部の下方に位置し、上記天井パネルを載置するフランジ部を設けてなり、  上記パネル固定具は、上記係止凹部に着脱可能に係止される係止板と、この係止板の一方の面に設けられ、係止板が係止凹部に係止した状態において、天井パネルの縁部を押圧する押圧片と、係止板の一方の面に設けられ、係止板を係止凹部内で回転動作させるハンドル片とを有し、上記係止凹部は、上記第一の係止凹条を構成する係止突部の内面が先端に向かって外方に傾斜し、その係止突部の先端から底部までの深さを（Ａ）に形成すると共に、上記第二の係止凹条を構成する係止突部の内面が先端に向かって外方に傾斜し、その係止突部の先端から底部までの深さを（Ｂ）に形成し、かつ、各々の底部間距離を（Ｃ）に形成してなり、  上記係止板は、互いに対向し、その間隔が（Ｃ−Ａ）または（Ｃ−Ｂ）のいずれか大きい方よりも大きく、かつ、（Ｃ）よりも小さく、その断面が上記係止突部の内面に当接可能な狭小テーパ状に形成される係止辺と、互いに対向し、その間隔が｛Ｃ−（Ａ＋Ｂ）｝よりも小さい挿入辺とで形成し、上記係止辺と上記挿入辺とがなす角部の少なくとも対向する２つを円弧状に形成してなる、ことを特徴とする。
【００１４】
このように構成することにより、天井パネルを梁材のフランジ部に載置した状態で、パネル固定具の係止板を、梁材の係止凹部内に挿入辺から挿入し、係止辺を、第一及び第二の係止凹条に押圧して係止することで、パネル固定具を係止凹部に固定することができると共に、押圧片によって天井パネルの縁部を押圧して天井パネルを梁材に取り付けることができる。
【００１５】
また、請求項４記載の発明において、上記係止板の他方の面に設けられ、係止板が係止凹部に係止された状態において、上記梁材の側面に圧接する複数の凸部を具備してなる方が好ましい（請求項５）。
【００１６】
このように構成することにより、係止板を係止凹部に係止するのに伴って、係止板に設けられる複数の凸部を梁材の側面に圧接することができる。
【発明の効果】
【００１７】
この発明によれば、上記のように構成されているので、次のような優れた効果が得られる。
【００１８】
（１）請求項１記載の発明によれば、天井パネルを梁材のフランジ部に載置した状態で、梁材の係止凹部にパネル固定具を係止すると共に、押圧片によって天井パネルの縁部を押圧して天井パネルを梁材に取り付けることができるので、構成部材の削減を図ると共に、天井パネルを容易かつ迅速に取り付け及び取り外しすることができる。
【００１９】
（２）請求項２記載の発明によれば、係止板を係止凹部に係止させることで、係止板に設けられる複数の凸部が梁材の側面に圧接されるので、上記（１）に加えて、更に、梁材にパネル固定具を確実に取り付けることができ、天井パネルの固定を更に確実にすることができる。
【００２０】
（３）請求項３記載の発明によれば、係止板を、係止板の係止辺を第一及び第二の係止凹条の内面に沿って係止凹部内に係止することができるので、上記（１）、（２）に加えて、更に、パネル固定具を梁材の係止凹部に容易に着脱することができ、梁材への天井パネルの取り付け及び取り外しを容易に行うことができる。
【００２１】
（４）請求項４記載の発明によれば、パネル固定具の係止板を、梁材の係止凹部内に｛Ｃ−（Ａ＋Ｂ）｝よりも小さい挿入辺から挿入し、（Ｃ−Ａ）または（Ｃ−Ｂ）のいずれか大きい方よりも大きく、かつ、（Ｃ）よりも小さい係止辺によって、係止して取り付けることで、
パネル固定具を係止凹部に固定することができると共に、押圧片によって天井パネルの縁部を押圧して天井パネルを梁材に取り付けることができる。したがって、パネル固定具の係止辺の寸法精度にマイナスの誤差が生じても、パネル固定具は係止凹部に固定されるので、本来の天井パネルを固定する機能を維持することができる。
【００２２】
（５）請求項５記載の発明によれば、係止板を係止凹部に係止させることで、係止板に設けられる複数の凸部が梁材の側面に圧接されるので、上記（４）に加えて、更に、梁材にパネル固定具を確実に取り付けることができ、天井パネルの固定を更に確実にすることができる。
【発明を実施するための最良の形態】
【００２３】
以下に、この発明に係る天井パネルの取付構造の最良の形態を添付図面に基づいて詳細に説明する。
【００２４】
＜第１実施形態＞
図１は、この発明に係る天井パネルの取付構造の使用状態を示す概略平面図、図２は、この発明に係る天井パネルの取付構造の第１実施形態の天井パネルの取付状態を示す斜視図、図３は、第１実施形態の天井パネルの取付構造を示す側面図（ａ）及び、（ａ）のＩ−Ｉ線に沿う断面図（ｂ）、図４は、第1実施形態におけるパネル固定具を示す拡大斜視図である。
【００２５】
この発明に係る天井パネルの取付構造は、図１に示すように、例えばクリーンルーム等の建物の天井位置における天井構造であって、天井を構成する位置に格子状に配置される主梁材１０及び補助梁材１１とで構成される梁１と、これら梁材１０，１１によって区画された四角形状の格子状空間（図示せず）を、梁１の上側から塞ぐパネル体２ａ，ファンフィルタユニット（ＦＦＵ）２１を具備するパネル体２ｂ，照明器具２２を具備するパネル体２ｃ等の天井パネル２と、主梁材１０の側面に取り付けられるパネル固定具３とで主に構成されている。この場合、主梁材１０は、図示しない吊り部材によって躯体の天井部から吊持されている。また、補助梁材１１は、主梁材１０に係合する押え部材４０と継手部材４１を介して主梁材１０に対して直交状に連結されている（図２参照）。
【００２６】
上記主梁材１０は、図２及び図３に示すように、断面略中空逆Ｔ字状に形成されており、上面中央部に上方に開口する吊下部１２と、吊下部１２の下方に位置し両側面１３に後述するパネル固定具３を取付可能な係止凹部１４と、係止凹部１４の下方に位置し天井パネル２を載置するフランジ部１５とを有して形成されている。
【００２７】
上記係止凹部１４は、主梁材１０の側面に長手方向に沿って形成され下方向に開口する第一の係止凹条１６と、この第一の係止凹条１６の下方において第一の係止凹条１６の開口に対向して開口する第二の係止凹条１７とを有して形成されている。
【００２８】
また、係止凹部１４は、第一の係止凹条１６を構成する係止突部１６ａの内面１６ｂを先端１６ｃに向かって外方に傾斜し、その係止突部１６ａの先端１６ｃから底部１６ｄまでの深さを（Ａ）に形成すると共に、第二の係止凹条１７を構成する係止突部１７ａの内面１７ｂを先端１７ｃに向かって外方に傾斜し、その係止突部１７ａの先端１７ｃから底部１７ｄまでの深さを（Ｂ）に形成し、かつ、第一及び第二の係止凹条１６，１７の各々の底部間距離が（Ｃ）に形成されている。
【００２９】
上記天井パネル２は、図２及び図３に示すように、主梁材１０に載置される縁部２０を天井パネル２の内方側に断面略コ字状に折曲した薄板材によって形成されている。なお、縁部２０の内方側には図示しない断熱材を配置してもよい。また、天井パネル２の縁部２０の下面側にはパッキン５が接着されており、天井パネル２を梁材１０，１１に取り付ける際に、天井パネル２とフランジ部１５との間に介在されて、天井パネル２と梁材１０，１１との気密性を図ると共に、摩擦力により天井パネル２のずれを防止することができる。
【００３０】
上記パネル固定具３は、図２ないし図４に示すように、係止凹部１４に着脱可能に係止される係止板３０と、この係止板３０の一方の面すなわち天井パネル２側に設けられ、係止板３０が係止凹部１４に係止した状態において、天井パネル２の縁部２０上面を押圧する押圧片３３と、係止板３０を係止凹部１４内で回転動作させるハンドル片３４と、係止板３０の他方の面すなわち主梁材１０側に設けられ、係止板３０が係止凹部１４に係止された状態において、主梁材１０の側面１３に圧接される複数（この場合４個）の凸部３５とで構成されている。なお、パネル固定具３は、例えば合成樹脂製の射出成型部材にて形成されている。
【００３１】
上記係止板３０は、図２ないし図４に示すように、互いに対向し、その間隔が（Ｃ−Ａ）または（Ｃ−Ｂ）のいずれか大きい方よりも大きく、かつ、（Ｃ）よりも小さく、その断面が係止突部１６ａ，１７ａの内面１６ｂ，１７ｂに当接可能な狭小テーパ状に形成される係止辺３１と、互いに対向し、その間隔が｛Ｃ−（Ａ＋Ｂ）｝よりも小さい挿入辺３２とを有し、係止辺３１と挿入辺３２とがなす角部３０ａが円弧状に形成されている。つまり、係止辺３１は、係止突部１６ａ，１７ａの内面１６ｂ，１７ｂに当接して第一及び第二の係止凹条１６，１７に係止する間隔に形成され、また、挿入辺３２は、係止凹部１４の開口すなわち第一及び第二の係止凹条１６，１７の係止突部１６ａ，１７ａに干渉しない間隔に形成されている。これにより、係止凹部１４の開口すなわち第一及び第二の係止凹条１６，１７の係止突部１６ａ，１７ａと係止板３０とが干渉せずに係止板３０を係止凹部１４内に容易に挿入することができると共に、係止凹部１４に挿入された係止板３０の係止辺３１を第一及び第二の係止凹条１６，１７に係止することができ、係止板３０を係止凹部１４内に容易かつ確実に係合することができる。
【００３２】
なお、図５に示すように、係止辺３１を係止突部１６ａ，１７ａの内面１６ｂ，１７ｂに係止させると共に、凸部３５を主梁材１０の側面１３に圧接することで、パネル固定具３の係止辺３１の寸法精度にマイナスの誤差が生じた場合でも、パネル固定具３を係止凹部１４に固定することができるので、本来の天井パネル２を固定する機能を維持することができる。
【００３３】
上記押圧片３３は、図３及び図４に示すように、係止板３０の略中央位置に突出する基端部３３ａと、基端部３３ａの一側に膨隆し、パネル固定具３を主梁材１０に係止した状態において、天井パネル２の縁部２０上面を押圧する押圧部３３ｂとを有すると共に、天井パネル２の縁部２０上面を覆う高さに形成されている。
【００３４】
上記ハンドル片３４は、図３及び図４に示すように、押圧片３３の基端部３３ａから連続し、押圧片３３に対して直角に折曲されると共に、係止板３０の挿入辺３２付近まで延設されるハンドル基部３４ａと、ハンドル基部３４ａから延在し、係止板３０の挿入辺３２方向の外方に突出するハンドル部３４ｂとで形成されている。なお、ハンドル片３４は、ハンドル基部３４ａに対しハンドル部３４ｂが若干傾斜して形成されると共に、ハンドル部３４ｂの片面すなわち図４（ａ）において上方の面に滑り止め用の複数（この場合３つ）の凸条３４ｃが形成されている。
【００３５】
このように形成されるパネル固定具３によれば、係止板３０の挿入辺３２を主梁材１０の係止凹部１４の開口と平行にすることで、係止板３０と係止凹部１４の開口すなわち第一及び第二の係止凹条１６，１７の係止突部１６ａ，１７ａとが干渉せずに係止板３０を係止凹部１４内に容易に挿入することができる。また、係止凹部１４内に挿入された係止板３０をハンドル片３４の回動操作によって係止凹部１４内で回転させることで、係止辺３１を第一及び第二の係止凹条１６，１７と係止する位置に移動して係止辺３１と第一及び第二の係止凹条１６，１７とを係止させることができる共に、押圧片３３の押圧部３３ｂを天井パネル２の縁部２０上面の押圧位置に移動して押圧部３３ｂで天井パネル２の縁部２０上面を押圧することができるので、天井パネル２を梁材１０，１１に容易かつ確実に取り付けることができる。また、係止辺３１と第一及び第二の係止凹条１６，１７とを係止させることによって、係止板３０に突設される凸部３５が主梁材１０の側面に圧接されるので、主梁材１０にパネル固定具３を確実に取り付けることができる。
【００３６】
次に、天井パネル２の取付手順について説明する。まず、図６（ａ）に示すように、梁材１０，１１のフランジ部１５に天井パネル２を載置し、パネル固定具３を、係止板３０の挿入辺３２が主梁材１０の係止凹部１４の開口と平行になるように、かつ、ハンドル片３４が上方に位置する状態で、主梁材１０の係止凹部１４内に挿入する。次に、図６（ｂ）に示すように、ハンドル片３４のハンドル部３４ｂを図６（ｂ）において右方向に回動させる。このハンドル片３４の回動に伴って、係止板３０の円弧状に形成された角部３０ａが第一及び第二の係止凹条１６，１７を摺動し、係止辺３１を第一及び第二の係止凹条１６，１７と係止する位置まで回転させる。この状態で、係止辺３１と第一及び第二の係止凹条１６，１７とを係止させる共に、押圧片３３の押圧部３３ｂを天井パネル２の縁部２０上面の押圧位置に移動して押圧部３３ｂで天井パネル２の縁部２０上面を押圧することで、天井パネル２を梁材１０，１１に取り付けることができる（図６（ｃ）参照）。
【００３７】
なお、天井パネル２の取付手順は上記に説明した手順には限られず、例えば、主梁材１０の係止凹部１４内にパネル固定具３を挿入した後に、梁材１０，１１のフランジ部１５に天井パネル２を載置する手順でもよい。
【００３８】
また、天井パネル２を梁材１０，１１から取り外すには、上記取付手順とは逆の動作を行い、ハンドル片３４を上方に持ち上げることによって、天井パネル２と押圧片３３との押圧状態を解除することができるので、梁材１０，１１から天井パネル２を容易に取り外すことができる。
【００３９】
＜第２実施形態＞
図７は、この発明に係る天井パネルの取付構造の第２実施形態のパネルの取付状態を示す斜視図、図８は、第２実施形態におけるパネル固定具を示す拡大斜視図である。
【００４０】
第２実施形態は、天井パネルの取付構造において、上記第１実施形態で取り付けられる天井パネル２と厚みの異なる天井パネル２Ａを取り付ける場合であり、パネル固定具３Ａの押圧片３６を天井パネル２Ａの縁部２０Ａ上面を押圧可能な形状に形成した場合である。
【００４１】
上記天井パネル２Ａは、図７に示すように、例えば、一対のアルミニウム製の表面板２３間にプラスチック樹脂製の芯材２４を挟んで形成されている。なお、天井パネル２Ａの縁部２０Ａの下面側にはパッキン５が接着されており、天井パネル２Ａを梁材１０，１１に取り付ける際に、天井パネル２Ａとフランジ部１５との間に介在されて、天井パネル２Ａと梁材１０，１１との気密性を図ると共に、摩擦力により天井パネル２Ａのずれを防止することができる。
【００４２】
上記パネル固定具３Ａは、図７及び図８に示すように、係止凹部１４に着脱可能に係止される係止板３０と、この係止板３０の一方の面すなわち天井パネル２Ａ側に設けられ、係止板３０が係止凹部１４に係止した状態において、天井パネル２Ａの縁部２０Ａ上面を押圧する押圧片３６と、係止板３０の一方の面すなわち天井パネル２Ａ側に設けられ、係止板３０を係止凹部１４内で回転動作させるハンドル片３４と、係止板３０の他方の面すなわち主梁材１０側に設けられ、係止板３０が係止凹部１４に係止された状態において、主梁材１０の側面１３に圧接する複数（この場合４個）の凸部３５とで構成されている。
【００４３】
上記押圧片３６は、図７及び図８に示すように、係止板３０の一方の面すなわち天井パネル２Ａ側に突設され、係止板３０の略中央位置に突設する基端部３６ａと、基端部３６ａから係止板３０の係止辺３１付近まで延設される押圧基部３６ｂと、押圧基部３６ｂから延在し、係止板３０の係止辺３１方向の外方に突出すると共に、先端が天井パネル２Ａと平行になるように折曲される押圧部３６ｃとで形成されている。
【００４４】
このように押圧片３６を形成することにより、パネル固定具３Ａを係止凹部１４に係止させた状態において、押圧部３６ｃによって天井パネル２Ａの縁部２０Ａ上面を押圧することができるので、天井パネル２Ａを梁材１０，１１に容易かつ確実に取り付けることができる。
【００４５】
なお、第２実施形態における天井パネル２Ａの取付手順も、第１実施形態における天井パネル２の取付手順と同様に行うことができる。
【００４６】
なお、第２実施形態のパネル固定具３Ａも第１実施形態のパネル固定具３と同様に、例えば、合成樹脂製の射出成型部材にて形成されている。
【００４７】
第２実施形態において、その他の部分は第１実施形態と同じであるので、同一部分には同一の符号を付して説明は省略する。
【００４８】
上記のように形成されるパネル固定具３Ａを用いることにより、厚さの異なる天井パネル２Ａを梁材１０，１１に取り付ける場合であっても、天井パネル２Ａを梁材１０，１１に容易かつ確実に取り付けることができる。
【図面の簡単な説明】
【００４９】
【図１】この発明に係る天井パネルの取付構造の使用状態を示す概略平面図である。
【図２】この発明に係る天井パネルの取付構造の第１実施形態を示す斜視図である。
【図３】第１実施形態の天井パネルの取付構造を示す側面図（ａ）及び、（ａ）のＩ−Ｉ線に沿う断面図（ｂ）である。
【図４】第1実施形態におけるパネル固定具を示す拡大斜視図（ａ）及び（ｂ）である。
【図５】第１実施形態におけるパネル固定具の取付状態を示す断面図である。
【図６】この発明における天井パネルの取付手順を示す概略図である。
【図７】この発明に係る天井パネルの取付構造の第２実施形態を示す斜視図である。
【図８】第２実施形態におけるパネル固定具を示す拡大斜視図（ａ）及び（ｂ）である。
【符号の説明】
【００５０】
２，２Ａ  天井パネル
３，３Ａ  パネル固定具
１０  主梁材（梁材）
１１  補助梁材（梁材）
１３  側面
１４  係止凹部
１５  フランジ部
１６  第一の係止凹条
１６ａ  係止突部
１６ｂ  内面
１６ｃ  先端
１６ｄ  底部
１７  第二の係止凹条
１７ａ  係止突部
１７ｂ  内面
１７ｃ  先端
１７ｄ  底部
２０，２０Ａ  縁部
３０  係止板
３０ａ  角部
３１  係止辺
３２  挿入辺
３３  押圧片
３４  ハンドル片
３５  凸部
３６  押圧片
【図１】
2008215021.tif 000003
【図２】
2008215021.tif 000004
【図３】
2008215021.tif 000005
【図４】
2008215021.tif 000006
【図５】
2008215021.tif 000007
【図６】
2008215021.tif 000008
【図７】
2008215021.tif 000009
【図８】
2008215021.tif 000010